(57)【要約】      （修正有）【課題】大きな力を必要とせずに人体の背面を押圧できるマッサージ器具を提供する。【解決手段】人体の背面を押圧してマッサージを行うマッサージ器具１０において、湾曲もしくは屈曲して形成された棒状の器具本体１２の一端側に把持可能な把持部１４と、他端側に使用者の背面に当接して押圧可能な折れ曲げられた押圧部１６とを具備し、使用者が把持部を把持したまま、器具本体の内周側に体を入れて押圧部を使用者の背面に当接させ、把持部を前方に押し出して、器具本体の間隔ｄを広げることで押圧力を高めて背面の当接箇所を揉みほぐす。押圧部は、器具本体に対して鋭角に折れ曲がった爪部１８を有し、器具本体と爪部との開き角θは４０〜５０°であることが好ましい。また爪部の先端１９は、Ｒ面に形成されていることが好ましい。【選択図】図１
0003197518.tif 000002
【実用新案登録請求の範囲】
【請求項１】
人体の背面を押圧してマッサージを行うマッサージ器具において、
湾曲もしくは屈曲して形成された棒状の器具本体の一端側に把持可能な把持部と、他端側に使用者の背面に当接して押圧可能な折れ曲げられた押圧部とを具備し、
使用者が前記把持部を把持したまま、前記器具本体の内周側に体を入れて前記押圧部を使用者の背面に当接させ、前記把持部を前方に押し出して、前記器具本体の間隔を広げることで前記押圧部による押圧力を高めて背面の当接箇所を揉みほぐすことを特徴とするマッサージ器具。
【請求項２】
前記押圧部は、前記器具本体に対して鋭角に折れ曲がった爪部を有していることを特徴とする請求項１に記載のマッサージ器具。
【請求項３】
前記器具本体と前記爪部との開き角は４０〜５０°であることを特徴とする請求項２に記載のマッサージ器具。
【請求項４】
前記爪部の先端は、先端に向かって、Ｒ面に形成されていることを特徴とする請求項２または請求項３に記載のマッサージ器具。
【請求項５】
前記押圧部の前記爪部が、前記把持部により、使用者の前方に押し出された際、前記押圧部の先端が肩甲骨の裏側に進入するように形成されていることを特徴とする請求項２から請求項４のいずれか一項に記載のマッサージ器具。
【請求項６】
前記器具本体が中実もしくは中空の丸棒状に形成されていることを特徴とする請求項１から請求項５のいずれか一項に記載のマッサージ器具。
【考案の詳細な説明】
【技術分野】
【０００１】
本考案は、マッサージ器具に関するものである。
【背景技術】
【０００２】
電力による駆動が不要であり、弧状に湾曲している棒状のマッサージ器具であって、背中のつぼを押して使用可能なマッサージ器が特許文献１に開示されている。
【先行技術文献】
【特許文献】
【０００３】
【特許文献１】実用新案登録第３１０４７６９号公報
【考案の概要】
【考案が解決しようとする課題】
【０００４】
人体の背面を押して使用する従来のマッサージ器具は、背中にあるツボを押して使用するものではある。しかし、特許文献１に記載されている人の力で操作する器具では、腕を背面に回したり、腕を肩より高い位置に上げて使用したりするため、より大きな力を必要となると共に疲労してしまい、容易に人体の背面を押圧できない。
【０００５】
そこで本考案は上記課題を解決するためになされたもので、その目的とするところは、大きな力を必要とせずに人体の背面を押圧できるマッサージ器具を提供することにある。
【課題を解決するための手段】
【０００６】
上記目的を達成するため、本考案のマッサージ器具は次の構成を備える。すなわち本考案は、人体の背面を押圧してマッサージを行うマッサージ器具において、湾曲もしくは屈曲して形成された棒状の器具本体の一端側に把持可能な把持部と、他端側に使用者の背面に当接して押圧可能な折れ曲げられた押圧部とを具備し、使用者が前記把持部を把持したまま、前記器具本体の内周側に体を入れて前記押圧部を使用者の背面に当接させ、前記把持部を前方に押し出して、前記器具本体の間隔を広げることで前記押圧部による押圧力を高めて背面の当接箇所を揉みほぐすことを特徴とする。この構成によれば、大きな力が要らずに人体の背面を押圧して背面にあるツボを刺激してマッサージをすることができるマッサージ器具である。
【０００７】
また、本考案において、前記押圧部は、前記器具本体に対して鋭角に折れ曲がった爪部を有していてもよい。これによれば、把持部が使用者の前方に押し出されたときに、押圧部にある爪部によって使用者の背面にあるツボを押圧できると共に、背面の当接箇所を揉みほぐすことができる。また、一人でも容易にマッサージをすることができる。
【０００８】
また、本考案において、前記器具本体と前記爪部との開き角は４０〜５０°であってもよい。これによれば、把持部が使用者の前方に押し出され、器具本体の間隔が広げたときに適度な圧力で押圧され、使用者の肩や腰の筋肉や筋膜を揉みほぐすことができる。
【０００９】
また、本考案において、前記爪部の先端は、先端に向かって、Ｒ面に形成されていてもよい。これによれば、先端が鋭利ではないので、痛みを過度に感じずに揉みほぐすことができる。
【００１０】
また、本考案において、前記押圧部の前記爪部が、前記把持部により、使用者の前方に押し出された際、前記押圧部の先端が肩甲骨の裏側に進入するように形成されていてもよい。これによれば、押圧部の先端が肩甲骨の裏側に進入して、肩甲骨の裏側を押圧して揉みほぐすことができ、肩甲骨の周囲にある筋膜を揉みほぐして血行を良くすることができる。
【００１１】
また、本考案において、前記器具本体が中実もしくは中空の丸棒状に形成されていてもよい。これによれば、器具本体を使用者が持ちやすく、力が掛けやすくなるため、大きな力を必要とせずに人体の背面をマッサージできる。また、器具本体を中実にすることにより弾性力や強度が増して少ない力で容易にマッサージでき、中空にすることにより軽量化が図られ操作性が向上する。
【考案の効果】
【００１２】
本考案に係るマッサージ器具によれば、大きな力を必要とせずに人体の背面を押圧できる。
【図面の簡単な説明】
【００１３】
【図１】本考案のマッサージ器具の一例を示し、マッサージ器具の正面図である。
【図２】本考案のマッサージ器具の使用例を示し、使用者の頭部側から見た状態図であり、（Ａ）は押圧部が背面を押圧する前の状態、（Ｂ）は押圧部が背面を押圧しているときの状態である。
【図３】本考案のマッサージ器具の使用例を示し、使用者の背面側から見た状態図である。
【図４】本考案のマッサージ器具の爪部を示した拡大図である。
【考案を実施するための形態】
【００１４】
以下、本考案の実施形態を添付図面に基づいて詳細に説明する。
【００１５】
図１に、本考案の実施形態に係るマッサージ器具１０の一例を示し、マッサージ器具１０の正面図を示す。図２に、本考案の実施形態に係るマッサージ器具１０を使用するときの一例を示し、使用者の頭部側から見た状態図であり、（Ａ）は押圧部１６が背面（肩甲骨２０）に当接している状態、（Ｂ）は押圧部１６が背面（肩甲骨２０）を押圧しているときの状態である。なお、図２において、紙面上方が人体前面であり、使用者の肩甲骨２０、首２２、胴体３０を示し、腕および手は図示していない。本実施形態のマッサージ器具１０は、人体の背面をマッサージするマッサージ器具１０であり、器具本体１２は湾曲、もしくは屈曲して形成されている。湾曲もしくは屈曲した器具本体１２の内側に胴体３０が入るように形成され、器具本体１２を人体の肩、脇、腰などの胴体３０の周囲を回して使用し、背面を押圧できる。このため、一人でも容易にマッサージをすることができるマッサージ器具１０である。
【００１６】
器具本体１２は、器具本体１２の一端側に把持可能な把持部１４と、器具本体１２の他端側に使用者の背面に当接して押圧可能な押圧部１６とを具備している。また、器具本体１２にある押圧部１６は、器具本体１２に対して鋭角に折れ曲がった爪部１８を有している。また、マッサージ器具１０の器具本体１２は変形可能である。図１、図２に示す把持部１４と爪部１８の先端との開口部の距離をｄとし、押圧部１６が背面を押圧している状態の把持部１４と爪部１８の先端との開口部の距離をｄ’（図２（Ｂ）参照）とする。使用者は把持部１４を把持し、器具本体１２の内周側に体を入れ、押圧部１６を使用者の背面に当接させ、把持部１４を使用者の前方に押し出して力を加えるとｄ＜ｄ’となり、器具本体１２の内側の間隔（開度）を広げることができる。これにより、押圧部１６による押圧力を高めてより小さな力で背面の当接箇所を揉みほぐすことができる。マッサージ器具１０の他の例として、湾曲した器具本体１２に換えて、屈曲した器具本体（図示せず）を用いてもよく、湾曲した器具本体１２を屈曲した器具本体に置き換えても同様の効果が得られるものである。このため、説明を省略して湾曲した器具本体１２としてまとめて説明する。
【００１７】
また、器具本体１２に湾曲もしくは屈曲して形成された部材を用いることで、把持部１４を持ち、器具本体１２を胴体３０周囲に回し、背面を押圧して距離ｄを広げた状態に器具本体１２を変形させると、変形前の形状に戻ろうと距離ｄ’を縮める方向に力が働く。また、器具本体１２の材質は弾性変形可能な材料を用いることが好ましく、一例としてプラスチック等を用いて形成されることが好ましい。使用者の前方に押し出されたとき、元の形状に戻ろうとする弾性的な力が加わって背面を押圧できれば、より小さな力で押圧することができる。
【００１８】
図１、図２に示すマッサージ器具１０の把持部１４は直線棒状であるが、必ずしも直線でなくてもよく、湾曲、屈曲していてもよい。また、本実施形態のマッサージ器具１０の把持部１４は両手で把持することも可能であり、十分に両手の間隔を空けて把持できる長さで３０ｃｍ以上ある。好ましくは４０〜５０ｃｍであり、どのような体格の人でも持ちやすくて力を加えやすい長さである。また、器具本体１２の湾曲具合を調整して開口部の距離ｄを調整する。これは、器具本体１２を胴体３０に回したときに人体との距離が接近し過ぎず、また離れすぎない位置にするためである。距離ｄとしては２５〜４０ｃｍ程度であり、この範囲になるよう器具本体１２を湾曲させればよく、器具本体１２の長さは背面の外周部を回すことができる長さであることが好ましい。これにより、把持部１４を両手で把持できると共に、逆手や順手で把持部１４を持っても力が加えられやすい。例えば図２（Ａ）に示す把持位置Ｇを持って、点線の黒い矢印で示す方向に使用者の前方に押し出すことにより、押圧部１６の爪部１８により背面を押圧できる。
【００１９】
また、器具本体１２が中実もしくは中空の丸棒状に形成されていることが好ましい。特に、器具本体１２の把持部１４を丸棒状に形成し、さらに外径を２〜５ｃｍ程度にすれば、使用者が持ちやすく、力が掛けやすくなるため、大きな力を必要とせずに人体の背面をマッサージできる。また、器具本体１２を中実の丸棒状にすれば、器具本体１２の弾性力を高めて強度が増し、より小さな力で人体の背面をマッサージすることができる。また、器具本体１２を中空の丸棒状にすれば、マッサージ器具１０を軽量化でき、操作しやすくて疲労しにくくなる。
【００２０】
爪部１８は湾曲した器具本体１２の内側に向くようにして折れ曲がり、爪部１８の先端が把持部１４と対向するように折れ曲がっている。把持部１４が使用者の前方に押し出されたときに、押圧部１６にある爪部１８によって使用者の背面にあるツボを押圧できると共に、背面を揉みほぐすことができる。
【００２１】
図３は、使用者の背面側から見た状態図であり、図２（Ａ）における押圧部１６が背面（肩甲骨２０）を押圧する前の状態を示す。押圧部１６の爪部１８は、把持部１４により、使用者の前方に押し出された際、押圧部１６の先端が肩甲骨２０の裏側に進入するように形成されている。肩甲骨２０の裏側とは、図２（Ａ）、図３の点線の枠で囲まれ斜線で示した箇所であり、この箇所をＸで示す。押圧部１６、爪部１８は器具本体１２に配置され、背面にある肩甲骨２０の裏側Ｘを押圧可能な位置に設けられることが好ましい。肩甲骨２０の裏側は、特に血行を良くするために効果の高い場所であり、本実施形態のマッサージ器具１０は、より小さな力で、一人で揉みほぐすことができるものである。
【００２２】
本実施形態のマッサージ器具１０の器具本体１２と爪部１８との開き角θは４０〜５０°である。この角度にすることで、どのような体格の人でも十分に力を加えることができ、器具本体１２に設けられた押圧部１６が、自然に肩甲骨２０の裏側方向に進入する動きとなるため、大きな力を加えなくても容易に背面、肩甲骨２０の周囲をマッサージできる。
【００２３】
図４は器具本体１２の鋭角に折れ曲がった爪部１８を示した拡大図であり、（Ａ）は図１に示す爪部１８を矢印Ｃ方向から見た図であり、（Ｂ）は図１に示すように正面方向から見た図である。図４の紙面上における上方向は、押圧部１６にある爪部１８の先端である。爪部１８は、肩甲骨２０に沿った所定範囲を押圧可能となるよう、押圧部１６の爪部１８は幅広形状である。幅４０〜６０ｍｍの平板状に形成されて所定範囲を押圧可能であり、厚さが４〜８ｍｍある。また、爪部１８の先端は、幅方向も、厚さ方向も先端に向かってＲ面に形成され、所定範囲を押圧可能な押圧面１９が形成されている。従来のマッサージ用の器具では、押圧部１６に球状の突起やローラを設けて押圧するが、本実施形態のマッサージ器具１０は、爪部１８を設けて幅広形状にし、先端をＲ面にすることで、肩甲骨２０の裏側Ｘに進入することも可能になる。さらに好ましくは、爪部１８にある押圧部１６と向かい合わない側の押圧面１９Ｂは、向かい合う側の押圧面１９Ａと比べて緩やかな曲線であり、Ｒの値が大きい。このため、適度に肩甲骨２０の裏側に進入してマッサージできるものの、過度に肩甲骨２０の裏側に過度に入り込まず、奥までは到達しないので、筋肉を傷めることはない。爪部１８は、幅、厚さが上記範囲内にあればよく、必ずしも平板状でなくてもよく湾曲した板状であってもよい。
【００２４】
本実施形態のマッサージ器具１０は、肩、腰、肩甲骨２０のマッサージに利用でき、背面のマッサージの仕方一例として、肩甲骨２０の周囲のマッサージをするときについて述べる。肩甲骨２０の周囲をマッサージするときは、図２（Ａ）に示すように、器具本体１２の把持部１４を持ち、押圧部１６の爪部１８の先端が肩甲骨２０の裏側Ｘ付近の皮膚に当たるようにする。そして、使用者の前方に押し出し、図２（Ｂ）に示すように、把持部１４を持ちながら力を加えると距離ｄが長くなるように変形され、押圧部１６の先端が肩甲骨２０の裏側Ｘに向かって押圧されるように矢印Ｅの方向に爪部１８が進入する。これにより、人の僅かな力で肩甲骨２０の周囲マッサージをすることができ、さらに健康増進に極めて効果の高い肩甲骨２０の裏側Ｘを押圧することができる。本考案の実施形態のマッサージ器具１０は、当然のことながら右側の肩甲骨２０にも用いることができ、押圧部１６の先端が右側の肩甲骨２０側に当たるように把持部１４を持ち替えて左右反転させて使用すればよい。
【００２５】
爪部１８の押圧面１９が背面に当接し、背面が押圧されているとき、押圧されている位置を動かさないで押圧し続けていれば痛みを過度に感じずに背面を揉みほぐすことができる。さらに、押圧部１６の押圧面１９が背面に当接し、背面が押圧されているとき、把持部１４を持って肩甲骨２０に沿って動かすことにより、肩甲骨２０に沿った所定範囲をより広い範囲で押圧することができる。器具本体１２を肩や脇を回して動かし、押圧面１９が肩甲骨２０の形状に沿うように幅広形状の爪部１８を動かせばよく、所定範囲を集中的に揉みほぐしてもよい。
【００２６】
肩甲骨２０の裏側Ｘが押圧されるためには、マッサージ器具１０の押圧部１６が内側縁から進入しなければならない。図２（Ｂ）に記載の矢印Ｅの方向は、押圧部１６が肩甲骨２０の裏側方向に進入する動きを示し、肩甲骨２０の裏側Ｘに押圧部１６の爪部１８を当接して押圧することができる。また、点線で描かれた矢印方向に押圧部１６の爪部１８が動いて背面内に向かって進入する。このとき、押圧部１６の爪部１８の動きは肩甲骨２０の裏側方向に弧状に進入する動きであり、「すくいあげる」もしくは「えぐるような」動きとなって肩甲骨２０の裏側Ｘを押圧できる。また、肩甲骨２０の裏側Ｘに入ることで、肩甲骨２０周囲の癒着した筋膜を剥がすことも可能であり、肩の血行を良くすることができる。
【００２７】
器具本体１２の両端部が離れる方向に押圧されて図２（Ｂ）のように距離ｄを広げると把持部１４に加えられた力は、押圧部１６の爪部１８に伝わり、白抜き矢印Ｅの方向に押圧される。把持部１４は開口部の距離ｄを広げるときに、押圧部１６と同様に弧状に動く。特に距離ｄを広げて把持部１４が弧状に動くと、把持部１４に加得られた力は自然に肩甲骨２０の裏側方向に働き、無理な力を掛けなくても背面が押圧されてマッサージをすることができる。無理な力を加えずに健康増進に極めて効果の高い背面の肩甲骨２０の裏側Ｘを押圧することができ、背中、肩の血行を良くすることができる。
【符号の説明】
【００２８】
１０  マッサージ器具
１２  器具本体
１４  把持部
１６  押圧部
２０  肩甲骨
２２  首
３０  胴体
Ｇ  把持位置
Ｘ  肩甲骨の裏側
【図１】
0003197518.tif 000003
【図２】
0003197518.tif 000004
【図３】
0003197518.tif 000005
【図４】
0003197518.tif 000006